(57)【要約】【課題】畦から予備苗載せ台への苗供給を容易に行うことができる乗用田植機における予備苗収容構造を提供する。【解決手段】乗用走行機体の前部の左右に配備した予備苗載せ台８に、予備苗を載置収容する複数の予備苗載置部２６を上下方向に所定間隔を置いて配設する第１形態と、予備苗載置部２６を前後に一列状に配設する第２形態とに苗受け形態を切換可能に構成し、第２形態にした状態で、１枚半分乃至２枚分の予備苗載置部２６が機体前端位置より前方に突出するように構成してある。【選択図】図５
2011062159.tif 000002
【特許請求の範囲】
【請求項１】
乗用走行機体の前部の左右に配備した予備苗載せ台に、予備苗を載置収容する予備苗載置部を上下方向に所定間隔を置いて配設する第１形態と、前記予備苗載置部を前後に一列状に配設する第２形態とに苗受け形態を切換可能に構成した乗用田植機の予備苗収容構造において、
前記予備苗載置部を前後に位置変更可能に支持する位置変更機構を備え、前記第２形態に配設した予備苗載置部を前方位置に位置させた状態で、１枚半分乃至２枚分の前記予備苗載置部が機体前端位置より前方に突出するように構成してある乗用田植機の予備苗収容構造。
【請求項２】
乗用走行機体の運転部より前方の機体左右にステップを形成し、前記予備苗載置部を後方位置乃至前方位置に位置させた状態において、平面視で前記ステップに少なくとも通行可能なステップ幅が残るように、前記ステップの機体横外側に前記予備苗載せ台を配設してある請求項１記載の乗用田植機の予備苗収容構造。
【請求項３】
前記予備苗載せ台に前後に延出された支持フレームを備え、前記第２形態において前記支持フレームに前記予備苗載置部を片持ち状に着脱自在に支持してある請求項１または２記載の乗用田植機の予備苗収容構造。
【請求項４】
前記予備苗載置部を外した状態で、前記支持フレームの前後長さを短縮すべく前記支持フレームを複数のフレーム部材で形成して前後に折り畳み可能に構成してある請求項３記載の乗用田植機の予備苗収容構造。
【請求項５】
前記支持フレームの折り畳み部を、隣り合う前記フレーム部材のうちの一方のフレーム部材に備えられたヒンジ部材と、他方のフレーム部材に備えられたヒンジ部材と、前記両ヒンジ部材に接続する中間ヒンジ部材とを備えて構成してある請求項４記載の乗用田植機の予備苗収容構造。
【発明の詳細な説明】
【技術分野】
【０００１】
本発明は、乗用走行機体の前部の左右に配備され、上下方向に所定間隔をおいて複数の予備苗を載置収容する予備苗載置部を前後に一列状に配置換えできるようにした乗用田植機の予備苗収容構造に関する。
【背景技術】
【０００２】
特許文献１には、乗用走行機体の前部の左右に配備した予備苗載せ台に、予備苗を載置収容する予備苗載置部を上下方向に所定間隔を置いて配設する第１形態と、予備苗載置部を前後に一列状に配設する第２形態とに苗受け形態を切換可能に構成した乗用田植機の予備苗収容構造が示されている。
【０００３】
特許文献１のものでは、図１に示されているように複数の予備苗載置部を上下方向に配設されている状態から、図４、図５、図２７に示されているように複数の予備苗載置部を前後に一列状に配設された第２形態では、ほぼ、１個分の予備苗載置部が乗用走行機体の前端より前方に突出するように構成されている。
【先行技術文献】
【特許文献】
【０００４】
【特許文献１】特開２００７−１３５５０６号公報
【発明の概要】
【発明が解決しようとする課題】
【０００５】
上記のように、予備苗載置部を一列状の第２形態に設定すると、最前側の予備苗載置部が乗用走行機体の前端位置よりも前方に位置するので、乗用走行機体を畦にほぼ直角に畦際まで進行させた状態で停止すると、畦から予備苗載せ台への苗供給を行うことができて便利であるが、畦から少し離れた位置で停止したり、乗用走行車体を畦に対して少し斜めに進行して停止すると、畦から左右の予備苗載せ台への予備苗の補給が困難になり、場所を選んで、慎重に畦際まで進行しないと畦から予備苗載置部へ直接苗補給を行うのが難くなることがある。
【０００６】
本発明は、このような点に着目してなされたものであって、畦から予備苗載せ台への苗供給を従来よりも容易に行うことができる予備苗収容構造を提供することを目的する。
【課題を解決するための手段】
【０００７】
〔第１発明の構成〕
第１発明は、乗用走行機体の前部の左右に配備した予備苗載せ台に、予備苗を載置収容する予備苗載置部を上下方向に所定間隔を置いて配設する第１形態と、前記予備苗載置部を前後に一列状に配設する第２形態とに苗受け形態を切換可能に構成した乗用田植機の予備苗収容構造において、
前記予備苗載置部を前後に位置変更可能に支持する位置変更機構を備え、前記第２形態に配設した予備苗載置部を前方位置に位置させた状態で、１枚半分乃至２枚分の前記予備苗載置部が機体前端位置より前方に突出するように構成してある。
【０００８】
〔第１発明の作用〕
第１発明によれば、苗植付け作業に際して、予備苗載置部を一列状に配設した第２形態に切換え前方位置に位置変更することで、畦から予備苗載置部へ予備苗を載せるときに、最前側の予備苗載置部が乗用走行機体の前端位置より１枚半分以上の予備苗載置部が前方に飛び出るように位置させることができるので、乗用走行機体を概ね畦に向って進行して畦際で停止するだけで、乗用走行機体が畦に対して直角でなく、又乗用走行機体を畦際ぎりぎりまで前進させなくても最前側の予備苗載置部が畦に近づき、畦から予備苗を最前側の予備苗載置部へ容易に供給することができるようになるので、操縦者による運転操作並びに畦から予備苗載置部への苗補給が容易になった。
又、苗植付け作業時は、第２形態の予備苗載置部を後方位置に戻して作業を行うが、これによって、機体前方への突出量が少なくなるので植え付けラインを定めるための前方の見通しが良くなるとともに畦際ぎりぎりで旋回しても障害物に当たりにくくなって運転がしやすくなり、また予備苗載置部上の予備苗を苗載せ台に補給しやすくなる。
第１発明によれば、予備苗載置部を上下方向に所定間隔を置いて配設した第１形態においても、予備苗載置部を前後に位置変更できるので、第１形態において予備苗載置部への苗補給や苗植付け作業時に適切に対応できる。
【０００９】
〔第１発明の効果〕
第１発明によれば、１枚半分以上の予備苗載置部を乗用走行機体の前端位置より前方に飛び出るように位置させることがきるので、予備苗補給のための操縦者による運転操作並びに畦から予備苗載置部へ苗補給を容易に行うことができるようになった。
【００１０】
〔第２発明の構成〕
第２発明は、第１発明の構成において、乗用走行機体の運転部より前方の機体左右にステップを形成し、前記予備苗載置部を後方位置乃至前方位置に位置させた状態において、平面視で前記ステップに少なくとも通行可能なステップ幅が残るように、前記ステップの機体横外側に前記予備苗載せ台を配設してある。
【００１１】
〔第２発明の作用効果〕
第２発明によれば、第１及び第２形態の予備苗載置部を後方及び前方位置に位置させた状態でも運転部より前方の機体左右のステップを通行することができるので、補助者がいない場合、運転者が前方の前記ステップを通って畦に降りて予備苗を予備苗載置部に載置し、再び前記ステップを通って運転席へ戻ることができるというように前記ステップを自由に行き来でき、運転者一人で作業を行うのに好都合である。
【００１２】
〔第３発明の構成〕
第３発明は、第１発明または第２発明の構成において、前記予備苗載せ台に前後に延出された支持フレームを備え、前記第２形態において前記支持フレームに前記予備苗載置部を片持ち状に着脱自在に支持してある。
【００１３】
〔第３発明の作用効果〕
第３発明によれば、予備苗載置部を、前後に延出された支持フレームに対して片持ち状に着脱自在に支持させるので、例えば、一対の支持フレームで両持ち構造とするのに比べて、外側の支持フレームが不要で支持部材が少なくなり、予備苗載置部へ予備苗を積み込むのに支持フレームが邪魔になり難い。
又、引用文献１に示されているような予備苗載置部どうしを連結して、支柱に取り付けたひとつの予備苗載置部により他の予備苗載置部を連結支持する構成でないので、予備苗載置部自体を支持部材を兼ねるような丈夫なものにしなくてもよく、予備苗載置部を軽量に構成でき、予備苗載置部の生産性が向上する。
【００１４】
〔第４発明の構成〕
第４発明は、第３発明の構成において、前記予備苗載置部を外した状態で、前記支持フレームの前後長さを短縮すべく前記支持フレームを複数のフレーム部材で形成して前後に折り畳み可能に構成してある。
【００１５】
〔第４発明の作用効果〕
第４発明によれば、路上走行や乗用田植機の格納時には、予備苗載置部を上下方向に配設する第１形態にし、支持フレームを折り畳むことで、乗用田植機の全長が短くなり、路上運転が行いやすく、又乗用田植機をコンパクトに格納することができる。
【００１６】
〔第５発明の構成〕
第５発明は、第４発明の構成において、前記支持フレームの折り畳み部を、隣り合う前記フレーム部材のうちの一方のフレーム部材に備えられたヒンジ部材と、他方のフレーム部材に備えられたヒンジ部材と、前記両ヒンジ部材に接続する中間ヒンジ部材とを備えて構成してある。
【００１７】
〔第５発明の作用効果〕
第５発明によれば、隣り合うフレーム部材に備えられたヒンジ部材間に中間ヒンジ部材を備えることで、支持フレームを折り曲げる支点が２つになるので、中間ヒンジ部材を介して折り畳まれたフレーム部材間に、ある程度の空間部を形成した状態で折り畳むことができ、又、ヒンジ部材の連結部（枢支部）をフレーム部材の前後展開状態（第２形態）において予備苗載置部上端よりも上方に突出しないように構成できる。
これにより、ヒンジ部材をフレーム部材より上方に大きく突出する状態で設けることなく、コンパクトに折り畳むことができるようになり、ヒンジ部材の連結部（枢支部）を第２形態で予備苗載置部より上下方向に突出しないようにすることができるので、ヒンジ部材が邪魔にならない。
【図面の簡単な説明】
【００１８】
【図１】乗用田植機の全体側面図である。
【図２】乗用田植機の全体平面図である。
【図３】左の予備苗載せ台における第１形態を示す正面図である。
【図４】予備苗載せ台における第２形態を示す側面図である。
【図５】予備苗載せ台における第２形態を示す平面図である。
【図６】左の予備苗載せ台における第２形態を示す正面図である。
【図７】予備苗載せ台における第１形態を示す側面図である。
【図８】左の予備苗載せ台における第２形態を示す要部の斜視図である。
【図９】（ａ）は左の支持フレームの折り畳み状態を示す側面図、（ｂ）は左の支持フレームの伸展状態を示す側面図である。
【図１０】左の予備苗載せ台における第２形態を示す平面図である。
【図１１】予備苗載せ台における支柱の位置変更機構を示す要部縦断背面図である。
【図１２】予備苗載置部を取り付けた状態で機体内側から見た要部を示す一部縦断側面図である。
【図１３】隣接する予備苗載置部どうしの連結部の構造を示す側面図である。
【図１４】別実施の形態の支持フレームの折り畳み部の構造を示す要部側面図である。
【図１５】別実施の形態の予備苗載せ台における第２形態の平面図である。
【発明を実施するための形態】
【００１９】
図１に、本発明に係る予備苗収容構造を備えた施肥装置付き乗用田植機の側面が、図２にその平面がそれぞれ示されている。この乗用田植機は、前輪１と後輪２を備えた４輪駆動式の乗用走行機体３の後部に、油圧シリンダ４で駆動される平行四連リンク構造のリンク機構５を介して苗植付け装置６が昇降自在に連結され、乗用走行機体３の後部に施肥装置７が搭載されるとともに、乗用走行機体３の前部における左右両側に２組の予備苗載せ台８が立設装備されている。
【００２０】
乗用走行機体３の前部には、エンジン９を収容した原動部１０が設けられるとともに、乗用走行機体３の後部に運転座席１１が設けられ、運転座席１１の足元から原動部１０の左右両脇に亘って配備されたステップ１２の左右横外側には、下方を透視可能なスノコ状に形成された拡張ステップ１３が備えられている。
【００２１】
苗植付け装置６は８条植え仕様に構成されており、８条分のマット状の苗を載置して苗幅に相当する一定ストロークで往復横移動される苗載せ台１５、苗載せ台１５の下端から１株分ずつ苗を切り出して田面に押し込む８組の回転式植付け機構１６、田面の植付け箇所を均らす５個の整地フロート１７、等を備えている。
【００２２】
施肥装置７は、運転座席１１の後方に配備された肥料ホッパ１８、肥料ホッパ１８に貯留された粒状肥料を所定量ずつ繰り出す回転式の繰出し機構１９、繰り出された肥料を風力搬送するための電動ブロワ２０、風力搬送される肥料を整地フロート１７に備えた作溝器２１に導く供給ホース２２、等を備えており、各条の植付け苗の横側近くに作溝器２１で形成した施肥溝に肥料を送り込んで埋設するよう構成されている。
【００２３】
図１〜図３に示すように、予備苗載せ台８には、乗用走行機体３に取り付けた支持枠２３に横軸心周りに前後揺動自在に立設された前後一対の支柱２４，２４と、前後の支柱２４，２４の上端部に枢支軸２５ａを介して揺動自在に枢支連結された逆Ｕ字状の取付け枠２５と、取付け枠２５の乗用走行機体３の外側に上下４段に配備された予備苗載置部２６と、取付け枠２５に前後に折り畳み自在で、伸長した状態で予備苗載置部２６を片持ち状に着脱自在に支持できるように構成した支持フレーム２７等が備えられている。
図１〜図３に示すように、乗用走行機体３の外側の４枚の予備苗載置部２６が、取付け枠２５に上下に配設された第１形態と、図４〜図６に示すように、支持フレーム２７を伸展させた状態で前後並べて支持フレーム２７に取り付けた第２形態とに切換え可能に構成されている。
【００２４】
前記支持フレーム２７は、逆Ｕ字状の取付け枠２５に固定した固定フレーム部材２７ａと、ヒンジ部材２９，３０を介して固定フレーム部材２７ａとピン連結された前フレーム部材２７ｂと、ヒンジ部材３１，３２及び中間ヒンジ部材３３を介して固定フレーム部材２７ａに連結された後フレーム部材２７ｃとで構成されている。
【００２５】
前フレーム部材２７ｂの前端部と後フレーム部材２７ｃの後部部の後端部に弾性を有する樹脂製の蓋部５３を取り付けてある。これにより、折り畳み時の緩衝部材として作用させることができ、重ね合った部分に弾性樹脂が介在することで、異音やビビリ音が発生しない。これにより締付け構造が不要として、コストダウンを図ることができる。
【００２６】
前記支持フレーム２７は、予備苗載置部２６を前後展開状態に一列状に支持する第２形態と、折り畳んだ収納状態とした第２形態とに変更可能で、上記中間ヒンジ部材３３を設けたことで、支持フレーム２７を折り曲げる支点が一つの支点でなく、２つの支点とし、２つの支点間距離を適宜設定することで、折り畳み時に、上下のフレーム部材２７ａ，２７ｃ間に、ある程度の空間部を形成することができ、かつ、支持フレーム２７を前後展開状態にした第２形態において、ヒンジ部材３１，３２及び中間ヒンジ部材３３を含む支持フレーム２７を予備苗載置部２６の上端よりも上方に突出しないようにして、コンパクトに折り畳むことができるようになる。
【００２７】
支持フレーム２７を折り畳んだ収納状態では、支持フレーム２７の前後幅が、ほぼ一つの予備苗載置部２６の前後幅と同じ長さになるようにしてある。これにより、乗用田植機を格納するときの収納性が向上でき、又、支持フレーム２７を収納すると前後に突出する部分がなくなるので、支持フレーム２７が邪魔になることを極力回避でき、予備苗載置部２６を取付け枠２５に上下に配設した第１形態での段積み作業の作業性が向上する。
【００２８】
乗用走行機体３の外側に支持される４枚の予備苗載置部２６は同一仕様で樹脂成形されたものが使用されている。図３、図６、図８に示すように、最下段の予備苗載置部２６及び上２段の予備苗載置部２６は、逆Ｕ字状の取付け枠２５の前後に形成したピン孔３４に予備苗載置部２６の内側の前後に形成した連結部材２６ａに連結ピン３５，３５ａを挿通して、片持ち状に連結されている。即ち、予備苗載置部２６を、逆Ｕ字状の取付け枠２５へ取付けた支持形態（第１形態）及び支持フレーム２７へ取り付けた支持形態（第２形態）のいずれの支持形態においても片持ち状に支持するようにしてある。予備苗載置部２６を片持ち状に支持することによって苗補給時に予備苗載置部２６を支持する取付け枠２５や支持フレーム２７が邪魔になり難い。
【００２９】
予備苗載置部２６を取付け枠２５に上下４段に取り付けるとき（第１形態）は、最下段の予備苗載置部２６と下から２段目の支持フレーム２７に取り付ける予備苗載置部２６の片持ち支持部の支持構造は、支持フレーム２７に取り付けたブラケット３７に形成したピン孔３６と予備苗載置部２６の連結部材２６ａに形成したピン孔とに亘って連結ピン３５ａを挿通して図示しない割ピンにて抜け止めを施してある。これに対して、最上段と上から２段目の予備苗載置部２６は、図１２に示すように、内側の側枠２６ｂの外面にリンク２８の一端部を枢着し、他端部に長孔２８ａを介して連結ピン３５を揺動自在に取り付けてあって、連結ピン３５を予備苗載置部２６の連結部材２６ａの孔と、図６、図８に示す取付け枠２５に形成したピン孔３４とに亘って挿通することで、予備苗載置部２６を取付け枠２５に止着するようにしてある。
【００３０】
最上段と上から２段目の予備苗載置部２６を一列状に支持フレーム２７に付け替えるとき（第２状態）は、取付け枠２５のピン孔３４と連結部材２６ａに挿通している連結ピン３５を、アーム２８を揺動させて抜き取るだけで、予備苗載置部２６を取付け枠２５から外すことができ、図１２に示すように、支持フレーム２７のブラケット３７のピン孔３６と連結部材２６ａのピン孔とに亘って連結ピン３５を挿通することで、支持フレーム２７に予備苗載置部２６を取り付ける。前記アーム２８を介して連結ピン３５を予備苗載置部２６に止着しておけば、予備苗載置部２６の付け替えが容易でしかも連結ピン３５を紛失することもない。
【００３１】
予備苗載置部２６を一列状に支持フレーム２７に取り付けた状態において、隣接する予備苗載置部２６の後側の予備苗載置部２６における前端部であって、連結ピン３５，３５ａで連結した片持ち支持部側とは反対側端部の予備苗載置部２６の裏面に、前側の予備苗載置部２６の後端を受け止め支持する受け部材５２を固設してある。これは、前側の予備苗載置部２６の後端縁の苗載置面２６ｃの上面高さが、後側の予備苗載置部の前端縁における苗載置面２６ｃの高さより低い段違いとならないようにするためである。
【００３２】
即ち、複数の予備苗載置部２６を一列状に前後に配列した場合、後に位置する予備苗載置部２６の前端の苗載置面２６ｃの高さが前に位置する予備苗載置部２６の後端の苗載置面２６ｃの高さよりも低い場合は問題ないが、逆の場合だと、予備苗を予備苗載置部２６に載置するすくい板（図示せず。すくい板は予備苗を後方の苗載せ台１５に移載するまで予備苗を載せて運ぶために予備苗とともに予備苗載置部に載置されるものである）に予備苗を載せた状態で、すくい板に載せたまま予備苗を畦から前端の予備苗載置部２６に載置し、引き続いて予備苗を載せたすくい板で先に載せたすくい板を後方に押しながら後続する予備苗を予備苗載置部２６に載置しようとするとき、後方に押された予備苗を載置しているすくい板が段差のある後方の予備苗載置部２６の前端縁に当たってすくい板を後方に押し込むことができなくなる。
【００３３】
そこで、一列状に伸展した支持フレーム２７に取り付けた予備苗載置部２６の片持ち支持部とは反対側端の前端部に、前側の予備苗載置部２６の裏面を受け止め支持する受け部材５２を設けることで、前側の予備苗載置部２６の苗載置面２６ｃの後端部が後側の予備苗載置部２６の苗載置面２６ｃの上面よりも低くなるという段差現象が解消できるので、畦から予備苗を予備苗載置部２６に載せて後方に押し込みながら順次複数の予備苗をスムーズに前後に一列状に配設された全ての予備苗載置部２６に搭載することができる。
【００３４】
下から２つ目の予備苗載置部２６は、前記支持フレーム２７の固定フレーム部材２７ａに連結ピン３５ａで連結されている。
支持フレーム２７の固定フレーム部材２７ａ、前フレーム部材２７ｂ及び後フレーム部材２７ｃの横外側面の前後２箇所に、予備苗載置部２６を連結するためのピン孔３６を形成したブラケット３７を固定してある。
【００３５】
前後一対の支柱２４，２４と、支柱２４の基部の支持枠２３，２３と、逆Ｕ字状の取付け枠２５（取付け枠２５の枢支軸２５ａ，２５ａ間）とで平行四連リンクＡが形成されている。前記平行四連リンクＡを構成する取付け枠２５に支持された予備苗載置部２６を、前後に前後方向の所望の位置に位置変更して所望の位置で固定できる位置変更機構Ｂを備えている。
【００３６】
前後一対の支柱２４の基部２４ａは、外向きに屈曲され、前後の支持枠２３に前後揺動自在に枢支連結されている。支持枠２３に枢支連結されている前後２箇所の支柱２４の基部２４ａは、予備苗載置部２６の左右幅内の下方に設定してある。これにより、苗重量を含む予備苗載せ台８の荷重は予備苗載せ台８の真下で受けることができるので、予備苗載せ台８の支持バランスを保ち、機体走行時の横揺れが軽減でき、耐久性を向上させることができる。
【００３７】
前記位置変更機構Ｂは次のように構成されている。すなわち、予備苗載せ台８の後方の支柱２４の外向きに屈曲された基部２４ａには、前方の支持枠２３との間でダンパー３８を架設するための補強部材３９が固定されており、この補強部材３９と支柱２４との間にピン保持筒４０が連結され、ピン保持筒４０に支持枠２３と係脱する操作ピン４１を摺動自在に保持している。他方、支柱２４を枢支する支持枠２３に円弧状に複数の位置決め用孔４２が形成されている。前記操作ピン４１の内端は、支柱２４より内側に突出させて、係止ピン４３を介してＬ型リンク４４に連係されている。Ｌ型リンク４４は操作ロッド４５を介して支柱２４の上端のハンドル５４に取り付けた操作レバー４６に連係されている。これにより、操作レバー４６を握り操作すると、操作ロッド４５を引き上げて、Ｌ型リンク４４を枢支ピン４７周りで回動し、長孔４８の機能により操作ピン４１が支持枠２３の孔４２より抜け出すので、支柱２４を直立状態から図４に示す最前側位置までの所望の傾斜角度で操作レバー４６を戻すと、操作ピン４１が対応する位置決め用孔４２に嵌入し、支柱２４が位置固定される。操作レバー４６を握り操作した状態で、支柱２４を予備苗載置部２６が最前方位置となる位置（即ち、予備苗載置部２６が最前側に移動した位置）まで傾斜させるとダンパー３８によって前方への移動が阻止される。この状態で操作レバー４６の握り操作を解除すると、操作ピン４１が前端の位置決め用孔４２に嵌入して支柱２４がロックされる。
【００３８】
逆Ｕ字状の取付け枠２５は平行四連リンクＡを構成している部材であるから、支柱２４を前方に傾動させても取付け枠２５は乗用走行機体３に対して一定の姿勢で前方に移動する。したがって、取付け枠２５に固定した予備苗載置部２６の姿勢及び支持フレーム２７は、支柱２４の直立姿勢から最前側に傾動させた全ての範囲に亘って乗用走行機体３に対して一定の姿勢を保ちながら揺動移動する。
【００３９】
路上走行時や車庫への格納時ときには、予備苗載置部２６を取付け枠２５に固定し、支柱２４を略直立姿勢に位置固定した姿勢にしておく。植付け作業を行うときには、折り畳んである支持フレーム２７を展開し、最上段と２番目の予備苗載置部２６の連結ピン３５を抜き取って取付け枠２５に固定している予備苗載置部２６を外し、支持フレーム２７の前フレーム部材２７ｂと後フレーム部材２７ｃの各ブラケット３７のピン孔３６と予備苗載置部２６の連結部材２６ａのピン孔とに連結ピン３５を挿通して支持フレーム２７に予備苗載置部２６を連結する。
【００４０】
作業に際して、畦から予備苗を予備苗載置部２６に積み込むときには、予備苗載せ台８の操作レバー４６を握り操作して支持枠２３から操作ピン４１を抜き、支柱２４のロックを解除する。この状態で、支柱２４を前に倒して予備苗載置部２６が最前側まで移動した時点で操作レバー４６から手を離すと操作ピン４１が最前端の位置決め用孔４２に嵌入して支柱２４がロックされ、図５に示すように第２形態において、予備苗載置部２６が機体前端位置より１枚半分前方に突出した状態に設定される。この第２形態（図５の平面視）で予備苗載置部２６を前後に移動させても、予備苗載置部２６はステップ１２と重複しない状態で、左右の予備苗載置部２６どうしが、後方ほど距離が離れるハの字状に配置されるレイアウトになっている。平面視で予備苗載置部２６，２６の前側の左右間隔が狭くなるハの字状にレイアウトすることで、補助者による左右の予備苗載置部２６への苗補給が容易になり、作業性が向上する。図１及び図２に示す第１形態において、予備苗載置部２６を前後に移動させても、予備苗載置部２６は平面視でステップ１２とは重複しない。
又、前後一列状に並べられた第２形態の予備苗載置部２６の前部から予備苗を供給するときに、上記のように支柱２４を前側に倒すことによって、予備苗載置部２６が前方に移動するだけでなく予備苗載置部２６の苗載置面２６ｃの高さも低くなり、予備苗載置部２６への苗補給作業が行いやすくなる。
【００４１】
各予備苗載置部２６については、左右の側枠２６ｂの近くの前後方向３位置に横向軸心周りに遊転自在なローラ４９が、苗載置面２６ｃより少し上方に突出して装備され、上記第２形態において、前後直列に並べられた予備苗載置部２６に沿って予備苗を押し動かす際に、予備苗（すくい板）が円滑に順送りすることができるようになっている。
【００４２】
前記第２形態において、畦から供給される予備苗の後方移動を円滑に行えるように、前後一列状に並べられた予備苗載置部２６が全体的に少し後下がり傾斜している。
【００４３】
図１〜図３に示すように、最上段の予備苗載置部２６の後部及び上から２段目の予備苗載置部２６の前部には、図１０に示すように、予備苗載置部２６を前後に一列状に配設したときに、４枚の予備苗を載置することができるように、前後方向にスライド自在な引出し補助受け部５０を備えている。引出し補助受け部５０は、スライド自在な２本の支持杆５０ａと、最上段の補助苗載置部２６に対しては支持杆５０ａの前端部、上から２段目の補助苗載置部２６に対しては支持杆５０ａの後端部にクランク状に屈曲させたストッパー杆５０ｂとで構成されている。
【００４４】
前後一列状に並べられた第２形態の予備苗載置部２６の前部から予備苗を供給する場合、予備苗載置部２６に載置した予備苗を順次後方に押し動かす。乗用走行機体３に搭乗している運転作業者は、最後部の予備苗載置部２６に到達した苗を順次取り出して後方の苗載せ台１５に移載する。予備苗載置部２６に予備苗を満載するときは、引出し補助受け部５０を引き出すことで、予備苗が４枚列状に載置することができ、第２形態の予備苗載置部２６を最前側に移動させた状態では、乗用走行機体３の前端位置よりも予備苗載置部２６が１枚半前方に突出して２枚の予備苗が前方に突出する状態で搭載されるようになっている。苗載せ台１５及び予備苗載せ台８に苗が満載されると、支柱２４が直立するように予備苗載置部２６を後方に移動させた状態での第２形態のまま植付け作業に移る。
【００４５】
各予備苗載置部２６の前記引出し補助受け部５０を備えていない前後方向の端部には、丸棒材の一片を長くした下向きの変形コの字状に屈曲し、長片側を予備苗載置部の下面の下方で前後軸周りで位置変更可能に軸支してなるストッパー５１を備えている。
図１〜図３及び図７に示す第１形態では、ストッパー５１は、図７に示すように、最上段の予備苗載置部２６の前端側に、上から２段目の予備苗載置部２６の後端側に、上から３段目の予備苗載置部２６の前後両側にそれぞれ設けられており、第１形態では、ストッパー５１を苗載置面２６ｃより上方に位置するようにセットし、載置苗のずり落ちを防止している。図４〜図６に示す第２形態では、図６の上段に示すように、ストッパー５１を苗載置面２６ｃより下方に回動させて予備苗の移動を妨げないようにする。最下段の予備苗載置部２６の前後に配設されたストッパー５１は固定されている。
【００４６】
〔別実施の形態〕
（１）上記主たる実施の形態では、図７〜図９に示すように、前側のヒンジ部材２９，３０は直接連結し、後側のヒンジ部材３１，３２の間に中間ヒンジ部材３３を介して連結して、支持フレーム２７を折り畳み可能に構成したが、中間ヒンジ部材３３の連結位置を前後逆にしてもよい。
【００４７】
（２）上記（１）の別実施の形態に代えて、中間ヒンジ部材３３をなくして、図１４に示すように、ヒンジ部材５４，５５を高く形成してもよい。これにより、複数の予備苗載置部２６を前後一列状に配設した状態から、最前側の予備苗載置部２６をその後の予備苗載置部２６の上方に折り畳むとき、折り畳んで上方に位置する予備苗載置部２６と下方の予備苗載置部２６の間に空間部が形成されるようにすることができる。これにより、前端側の予備苗が消費された状態で、植付け作業中に障害物を避けるとき、折り曲げる予備苗載置部２６の後方の予備苗載置部２６上に予備苗が載置されていても大きく折り畳めるので、前端の予備苗載置部２６に対して障害物を回避することができる。
【００４８】
（３）図１５に示すように、予備苗載置部２６を前後一列状に配設した第２形態において、前部の予備苗載置部２６を上下軸心周りで回動可能に構成してある。これにより、予備苗載置部２６を前後一列状に設置した第２形態での作業中に、前端側の予備苗載置部２６が邪魔になるときは、予備苗載置部２６に予備苗を載せていた状態でも、当該予備苗載置部２６を機体中央に回動できるので、圃場内の障害物を避けることが可能となり、作業性が向上する。
【００４９】
（４）主たる実施の形態では、予備苗載せ台８への畦からの予備苗を補給する第２形態の姿勢で、予備苗載置部２６を機体前端位置よりも前方に１枚半分前方に突出するように構成したが、第２形態で予備苗載置部２６を機体前端位置よりも前方に１枚半分を越え、２枚分に相当する予備苗載置部２６を前方に突出するように構成してもよい。
【００５０】
（５）主たる実施の形態では、支持フレーム２７を３つに折り畳めるように構成したが、２つに折り畳めるように構成してもよい。
【００５１】
（６）主たる実施の形態では、支柱２４を直立姿勢から前倒れ姿勢に揺動可能とし、支持フレーム２７に前後３個の予備苗載置部２６を一列状に配設するようにしてあるが、支柱２４を前後揺動可能に構成し、支持フレーム２７を４つ折りにして、一列状に伸展した第２形態の状態で、予備苗載置部２６を主たる実施の形態の構成よりも一個分前方に長くしてもよい。この場合、４個の予備苗載置部２６を一列状に配設した第２形態の状態において、支柱２４が直立姿勢にある状態では、予備苗載せ部２６を１枚半分、機体前端位置よりも前方に突出し、支柱２４を前方に傾倒した状態では予備苗載置部２６を２枚半分だけ機体前端位置よりも前方突出するように構成して、予備苗載置部２６を機体最前端位置から略１枚半分乃至２枚半分の範囲で複数段にその突出位置を設定変更可能に構成してもよい。
【００５２】
（７）主たる実施の形態では、支持フレーム２７を折り畳み式に構成したが、前端又は前端と後端とをスライドできる伸縮式に形成してもよい。
【００５３】
（８）主たる実施の形態では、支柱２４を前後に揺動するよう構成したが、支柱２４を前後に揺動しない固定構造とし、支持フレーム２７を一列状に伸展した第２形態の状態において、支柱２４に取り付けた取付け枠２５に対して支持フレーム２７を前後にスライド移動並びに位置変更固定自在に構成して、支持フレーム２７を最前方位置にスライドさせた状態で、機体前端位置より前方に予備苗載置部２６が１枚半分乃至２枚分突出するように構成してもよい。
【産業上の利用可能性】
【００５４】
乗用田植機としては、４条植え、６条植え或いは８条を越える多条植えの乗用田植機に適用できる。
【符号の説明】
【００５５】
３        乗用走行機体
８        予備苗載せ台
１２      ステップ
１４      運転部
２６      予備苗載置部
２７      支持フレーム
２７ａ    フレーム部材
２７ｂ    フレーム部材
２７ｃ    フレーム部材
３１      ヒンジ部材
３２      ヒンジ部材
３３      中間ヒンジ部材
Ｂ        位置変更機構
【図１】
2011062159.tif 000003
【図２】
2011062159.tif 000004
【図３】
2011062159.tif 000005
【図４】
2011062159.tif 000006
【図５】
2011062159.tif 000007
【図６】
2011062159.tif 000008
【図７】
2011062159.tif 000009
【図８】
2011062159.tif 000010
【図９】
2011062159.tif 000011
【図１０】
2011062159.tif 000012
【図１１】
2011062159.tif 000013
【図１２】
2011062159.tif 000014
【図１３】
2011062159.tif 000015
【図１４】
2011062159.tif 000016
【図１５】
2011062159.tif 000017